(57)【要約】【課題】プラスチック袋等の袋体の表面にラベルを貼るかあるいは表面に印字する工程を自動的に処理する情報定着装置を提供すること。【解決方法】袋体の外側面にラベル貼付あるいは印字等を定着するための情報定着手段と、前記袋体を膨らませ、前記情報定着手段の押圧力に対抗する対抗力を生成する反力生成手段とを備えた。【選択図】図１
2018027818.tif 000002
【特許請求の範囲】
【請求項１】
袋体の外側面にラベル貼付あるいは印字を含む情報を定着するための情報定着手段と、
前記袋体を空気により膨らませ、前記情報定着手段の押圧力に対抗する対抗力を生成する反力生成手段と
を備えたことを特徴とする情報定着装置。
【請求項２】
前記情報定着手段はラベル貼付するものであることを特徴とする請求項１記載の情報定着装置。
【請求項３】
前記情報定着手段は印字するプリンターヘッドを備えたものであることを特徴とする請求項１記載の情報定着装置。
【請求項４】
前記反力生成手段は、前記袋体の上方開口から前記袋体内に送風する送風装置であり、
前記送風装置により生成された送風による空気圧が前記情報定着手段による押圧力に対し均衡することを特徴とする請求項１〜請求項３のいずれか１記載の情報定着装置。
【請求項５】
前記袋体の上方開口部と前記送風装置との間に前記情報開口を覆うように空気ふさぎ部が設けられたことを特徴とする請求項４記載の情報定着装置。
【請求項６】
前記送風装置は、前記袋体内面の前記情報定着手段に対向する方向に対して傾斜するように前記送風装置の送風口を設けて設置されることを特徴とする請求項４記載の情報定着装置。
【請求項７】
前記袋体の底面にトレー状の容器を備えたことを特徴とする請求項１〜請求項３のいずれか１記載の情報定着装置。
【請求項８】
前記袋体の外側面に情報定着する際に、さらに前記袋体の上方開口部をワイヤ等により牽引する手段が設けられ、前記袋体の上方開口部が牽引された状態で前記情報定着手段により情報定着することを特徴とする請求項４記載の情報定着装置。
【請求項９】
前記袋体の内部に物品等の収容物が投入されてあり、前記情報定着手段により前記袋体の外側面に情報定着後に前記袋体をコンテナ内に収容することを特徴とする請求項４記載の情報定着装置。
【請求項１０】
前記袋体はプラスチックあるいは紙を素材とするものであることを特徴とする請求項１記載の情報定着装置。
【請求項１１】
前記情報定着手段は前記情報を反転文字としてラベル貼付あるいは印字することを特徴とする請求項１記載の情報定着装置。
【発明の詳細な説明】
【技術分野】
【０００１】
本発明は、情報定着装置に係り、特に宅配用物品を収納する透明プラスチック製等の包装袋に、収納された物品を宅配先あるいは管理するために必要な所定の情報を表示するラベルの貼り付け、あるいはそれらの情報を印字することを目的とした、ラベル表示を可能とするものを含む、情報定着装置に関する。
【背景技術】
【０００２】
近年、様々な業種での宅配システムが展開されている。初期工程における宅配物品の梱包においては、段ボール箱などに対象となる物品を直接収納・包装する場合や、プラスチック袋に物品を収納・包装、さらにそのプラスチック袋を段ボール箱などに収納・包装するなど様々な形態がある。特に、宅配物品を衛生的に保護し、牛乳、豆腐、肉、野菜などの生鮮食料品の鮮度を保つなどのために発泡スチロール製の箱の中にプラスチック袋に収納して包装することも数多く利用されている。
【０００３】
一方、宅配物品の依頼内容に対して確実に依頼主に届けるためには、依頼物品を所定のプラスチック袋に所定の数量を収納し、梱包し、更に後工程での作業や管理などで必要とされる各種情報がプラスチック袋の単位で判読できるようにしておく必要がある。一般的にラベルを貼り付ける手法やプラスチック袋に直接印字するなどの手法が採用されている。
【０００４】
ここに、プラスチック袋は薄いシート状であるために、ラベルを貼る際には、ラベルを貼る側の裏面にはラベル押付の力に対する反力、即ち平板などを配置する必要がある。その際に、プラスチック袋の上方周辺を通函（かよいばこ）となる箱状のコンテナ上方で折り返す状態にして、その折り返された表面にラベルを貼るなどが考えられる。しかし、貼り付け後はラベル表面がプラスチック袋の内側に向くために、対になる面のプラスチックシート面を透して見ることになる。その際に透明度が低いプラスチック袋や、対になる面が重なり合うなどによって必ずしも読みやすい状態とは言えない。
【０００５】
そのような状況に対し、特許文献１でも示されるように、透明フィルム基材の一方の面に逆文字を印字したラベルを透明プラスチック袋の裏面に貼り付けることで、粘着剤が付着した側（袋の表側）から見ると正しく読めるように工夫された工法も提案されている。
【０００６】
通函となるコンテナ内に納められる透明プラスチック袋の表面に、見易い状態で、且つ自動機によりラベルを貼り付け、あるいは印字するには、ラベル押付あるいは印字の押圧に対する反力を確保する必要がある。そのために平板等をプラスチック袋の内面に設けることは困難であり、前述の如くプラスチック袋の情報を折り返した面に貼り付ける手法が取られ、更にそれを見易くする為に、逆文字を透明シートに印字する等の手法も考案されている。
【先行技術文献】
【特許文献】
【０００７】
【特許文献１】特開２００５−２４１８１８号公報
【発明の概要】
【発明が解決しようとする課題】
【０００８】
一般的に、宅配向けの物品類をプラスチック袋に一括収納する場合に、プラスチック袋の表面あるいは裏面にラベルを貼り付けるか、あるいは印字することで、収納内容および宛先などを認識可能としている。しかし、薄く三次元的に膨らんだプラスチック袋の表面にラベルを貼るか、あるいは印字するための自動化は困難で、手作業でのラベル貼り付けが一般的である。一方、作業効率化のために自動化する場合には、プラスチック袋の上方開放部をコンテナ上部端で外側に折り畳まれた領域にラベル貼り付け、あるいは印字することは可能である。
【０００９】
しかし、プラスチック袋の上方開放部をコンテナ上部端で外側に折り畳まれた領域にラベル貼り付けあるいは印字する場合は、物品投入後にプラスチック袋の開放口を閉じてしまうと、ラベルはプラスチック袋の裏面に貼られることになり、透明性の低いプラスチック袋であったり、プラスチック袋の表面皺を生じたりする場合は、文字の読み取りが難しくなる。又、プラスチック袋の裏側に印字される場合は、文字が左右反転することになるので、更に読み取りが難しくなる。
【００１０】
一方、特許文献１に示される透明シートを用いて逆文字印刷をする場合は、特殊シートと特殊文字の印刷が必要となっていた。
【００１１】
このように、通函となるコンテナ内に納められるプラスチック袋の表面に、見易いラベルを自動機で貼り付けることは困難で、例えばプラスチック袋の折り返し部をコンテナ面に当ててその表面にラベルを貼るなどがあったが、袋内面に貼ることになるので見難さなどが伴っていた。
【００１２】
かかる問題を解決するために、本発明は、プラスチック袋等の袋体の表面にラベルを貼るかあるいは表面に印字する工程を自動的に処理する情報定着装置を提供することを目的とし、また、袋体の内部に風圧を加えることで、コンテナ等への収容の有無に係わりなくラベル貼り付けあるいは印字可能な情報定着装置を提供することを目的とする。
【課題を解決するための手段】
【００１３】
上記の目的を達成するために、本発明は、袋体の外側面にラベル貼付あるいは印字等を定着するための情報定着手段と、前記袋体を空気により膨らませ、前記情報定着手段の押圧力に対抗する対抗力を生成する反力生成手段とを備えたことを特徴とする情報定着装置を提供するものである。
【００１４】
本発明によれば、情報定着手段がラベル貼付あるいは印字する際に、加わる圧力に反力生成手段により生成される対抗力としての空気圧が働くので、良好にラベルの貼り付けあるいは印字の押圧が可能となる。
【００１５】
また、本発明は、前記情報定着手段はラベル貼付するものであることを特徴とする。
【００１６】
また、本発明は、前記情報定着手段は印字するプリンターヘッドを備えたものであることを特徴とする。
【００１７】
また、本発明は、前記反力生成手段は、前記袋体の上方開口から前記袋体内に送風する送風装置であり、前記送風装置により生成された送風による空気圧が前記情報定着手段による押圧力に対し均衡することを特徴とする。
【００１８】
本発明によれば、前記情報定着手段の押圧力に対する対抗力は風圧によって生成され、前記風圧によって前記袋体全体が膨らむことにより、袋体の側面に略平行に位置する前記情報定着手段に徐々に近接して移動し、前記風圧による空気圧を維持することにより安定したラベルの貼り付けあるいは印字することができる。
【００１９】
また、本発明は、前記袋体の上方開口部と前記送風装置との間に前記情報開口を覆うように空気ふさぎ部を設けたことを特徴とする。
【００２０】
本発明によれば、送風装置と袋体の上方開口部との間に空気ふさぎ部を設けることで、安定した所定の風圧を維持することが可能となる。それにより、前記袋体の膨らみをより安定化できる。
【００２１】
また、本発明は、前記送風装置は、前記袋体内面の前記情報定着手段に対向する方向に対して傾斜するように前記送風装置の送風口を設けて設置されることを特徴とする。
【００２２】
また、本発明は、前記袋体の底面にトレー状の容器を備えたことを特徴とする。
【００２３】
本発明によれば、トレー状の容器を配置することで、袋体の風圧による揺れ等を防ぎながら、安定してラベル貼付あるいは印字を可能とする。
【００２４】
また、本発明は、前記袋体の外側面に情報定着する際に、さらに前記袋体の上方開口部をワイヤ等により牽引する手段を設け、前記袋体の上方開口部が牽引された状態で前記情報定着手段により情報定着することを特徴とする。
【００２５】
本発明によれば、前記袋体の上部開口部をワイヤ等で牽引することで、袋体内に送風を安定して入力でき搬送ライン間に組み込むことを容易とする。
【００２６】
また、本発明は、前記袋体の内部に物品等の収容物が投入されてあり、前記情報定着手段により前記袋体の外側面に情報定着後に前記袋体をコンテナ内に収容することを特徴とする。
【００２７】
また、本発明は、前記袋体はプラスチックあるいは紙を素材とするものであることを特徴とする。
【００２８】
本発明によれば、袋体の選択の自由度が増し、内包物により、或いはコスト等に基づく袋体の選択の自由度が増す。
【００２９】
本発明の上記のいずれかの態様において、ラベル貼付あるいは印字される書体を鏡文字とする態様をとることもできる。かかる態様をとることにより、たとえばラベル貼付あるいは印字された箇所が折り返された状態で搬送等されるときに、袋体を透過して文字情報を認識することができ、利便性が高まる。この態様において、ラベル貼付の場合には、ラベル自体の素材を透過性の高いものを用いるのが好適である。
【発明の効果】
【００３０】
本発明によれば、情報定着手段がラベル貼付あるいは印字する際に、加わる圧力に反力生成手段により生成される対抗力としての空気圧が働くので、良好にラベルの貼り付けあるいは印字の押圧が可能となる。
【００３１】
また、本発明によれば、所定の宅配用物品などをプラスチック製の袋体に投入し、このプラスチック袋体の表面に必要情報を表示するためのラベル貼付あるいは情報印字などを行う工程において、プラスチック袋体の表面にラベルを押圧あるいは印字用のプリンターヘッド部を押圧する力に対抗する反力生成手段を備えることで、当該反力生成手段によって生成された反力を支えにして上記ラベルの貼り付けあるいは上記印字を可能とすることで、一連の動作の流れの中で自動化を可能とできる。
【００３２】
また、袋体はプラスチックに限らず、一定の剛性を備えた材質であれば良く、たとえば紙を素材とするものであってもよい。これにより、袋体の選択の自由度が増し、内包物により、或いはコスト等に基づく袋体の選択の自由度が増す。
【００３３】
また、本発明によれば、風圧による空気圧を維持することにより安定したラベルの貼り付けあるいは印字することができる。
【００３４】
また、本発明によれば、送風装置と袋体の上方開口部との間に空気ふさぎ部を設けることで、安定した所定の風圧を維持することが可能となる。それにより、袋体の膨らみをより安定化できる。
【００３５】
また、本発明によれば、袋体の下面にトレー状の容器を配置することで、袋体の風圧による揺れ等を防ぎながら、安定してラベル貼付あるいは印字を可能とする。
【００３６】
また、本発明によれば、袋体の上部開口部をワイヤ等で牽引することで、袋体内に送風を安定して入力でき搬送ライン間に組み込むことを容易とする。
【００３７】
また、本発明によれば、情報定着装置を搬送ライン内に設けることで、物品の投入からコンテナ収容までの一連の工程内で完結できる。
【図面の簡単な説明】
【００３８】
【図１】本発明の一実施形態に係る情報定着装置の説明図である。
【図２】本発明の一実施形態に係る情報定着装置における袋体へのラベル貼り付けの説明図である。
【図３】本発明の一実施形態に係る情報定着装置における袋体とスタンパーとの位置関係を説明する図で、スタンパーとしてラベル貼付機を用いた例を示す図である。
【図４】本発明の一実施形態に係る情報定着装置における袋体とスタンパーとの位置関係を説明する図で、スタンパーとして印字機を用いた例を示す図である。
【図５】本発明の第２の実施形態に係る情報定着装置の説明図である。
【図６】本発明の一実施形態に係る情報定着装置の送風部分に空気ふさぎ部を設けた例を示す図である。
【図７】本発明の一実施形態に係る情報定着装置の送風部分を傾斜させ送風方向を変えた例を示す図である。
【図８】本発明の一実施形態に係る情報定着装置を搬送ラインに用いた例を示す図である。
【図９】本発明の第２の実施形態に係る情報定着装置を搬送ラインに用いた例を示す図である。
【図１０】本発明の情報定着装置による処理工程後のコンテナ収容の例を説明する図である。
【図１１】本発明の第３の実施形態に係る情報定着装置に用いる袋体とコンテナとの関係を説明する図である。
【図１２】本発明の第３の実施形態に係る情報定着装置の説明図である。
【図１３】背景技術を説明するための、物品の袋封入〜ラベル貼り付け〜袋封止の工程を示す図である。
【図１４】背景技術を説明するための、コンテナ内のプラスチック袋の状態を示す図である。
【図１５】背景技術として、プラスチック袋にラベルを貼る従来方法の一例を説明する図である。
【発明を実施するための形態】
【００３９】
まず、本発明の背景について、図１３、図１４および図１５を用いて説明する。図１３は、背景技術を説明するための、物品の袋封入〜ラベル貼り付け〜袋封止の工程を示す図である。例えば、物流センターなどの物品等を搬送する搬送装置の搬送路（搬送ライン）６にて、宅配向け商品が処理される一部の工程を示し、物品の袋への封入〜ラベル貼り付け〜袋封止の工程を示している。同図に示されるのは、通函として使われるコンテナ５内に置かれるポリオレフィン系などのプラスチック袋１に、所定の物品４を投入し、後工程で必要となる物品４に関連する情報や宅配先の住所、氏名などの情報を記載したラベル２１を貼り付けるか、あるいはプラスチック袋１の表面に印字する処理を施し、物品の衛生的な状態を維持するためにプラスチック袋１の開放部を封止する、一連の工程である。
【００４０】
図１４は、コンテナ内のプラスチック袋の状態を示す図であり、上記工程におけるコンテナ５内のプラスチック袋１に所定の物品４が投入された状態を示している。尚、同図ではコンテナ５の外からプラスチック袋１が見えるように便宜的に描かれているが、実際は四面が塞がれた状態になる。
【００４１】
図１５は、プラスチック袋１にラベル２１を貼る従来の方法の一例を示したものである。同図に示されるのは、プラスチック袋１の上方周辺をコンテナ５の上方で折り返す状態にして、その折り返された表面にラベル２１が貼り付けられた状態である。ここに示されるように、従来の方法においては、ラベル２１はその後の工程でプラスチック袋１が封止された際に、内部の物品４が見難くなったり、プラスチック袋１の封止で折り重なるようになったり、更にラベル２１の貼り付け面とは異なる面からラベル２１を読むことになるので、必要な情報の読み難さを伴うことになる。
【００４２】
本発明は、かかる背景技術に対し全く発想を変えたもので、プラスチック袋内に送風手段を加え、その風圧を利用しプラスチック袋の外側からスタンパーによりラベル貼付あるいは印字するようにしたものである。以下、図面を参照して、本発明の実施形態について説明する。
【００４３】
図１は、本発明の一実施形態に係る情報定着装置の説明図である。図１において、情報定着装置の基本構成としては、袋体の一例としてのプラスチック袋１と、プラスチック袋１の横面にラベル貼付あるいは印字用の印字装置（スタンパー）２と、プラスチック袋１の上方の開口側に送風装置３を備えてなる。プラスチック袋１の内部には所定の物品４が投入されている。
【００４４】
この構成のもと、送風装置３の送風口（ノズル部）３１からの送風３２がこのプラスチック袋１に送り込まれる。ノズル部３１から送られる風３２による風圧でプラスチック袋１内の圧力が上昇し、プラスチック袋１の全体が膨らむことになる。プラスチック袋１が膨らみ一定の風圧即ち空気圧により当該プラスチック袋１の壁面が略平坦に均衡をたもった状態となる。そこで後述するようにスタンパー２によりプラスチック袋１に宛先、品物名等の所定の情報が記載されたラベルが貼付されるかあるいは印字される。
【００４５】
本例および以下に説明する実施形態では、上流の工程で配送対象となるプラスチック袋１内にその配送先宛の物品４が投入され、そのプラスチック袋１に対してラベル貼付あるいは印字処理を行うもので説明するが、これに代えて、空らのプラスチック袋１に宛先等の情報を記載したラベル貼付あるいは印字し、後工程でその情報に合致する物品４を投入するようにしてもよい。
【００４６】
図２、図３および図４は、本発明の一実施形態に係る情報定着装置におけるプラスチック袋とスタンパーとの関係を説明する図であり、図１におけるプラスチック袋１の一部側面とスタンパーの部分を拡大した断面図を示したものである。
【００４７】
図２において、スタンパー２はラベル貼付機を例とし、プラスチック袋１側に粘着層２２をもつラベル２１が用意されている。プラスチック袋１は図示しない送風装置３からの風圧が未だ掛っていない状態で、プラスチック袋１の側面とスタンパー２の間には相当の距離があることを示している。従って、図２のプラスチック袋１の内側からの矢印Ｐで示す風圧も、スタンパー２側の矢印Ｆで示す右方向から近付く力も未だ作用していない。
【００４８】
図３は、図２と同様、スタンパー２としてラベル貼付機を用いた例を示し、プラスチック袋１の内側に風圧３２が掛った状態を示す図であり、スタンパー２の粘着層２２の面により接近した状態を示している。この際にプラスチック袋１が一定の剛性及び柔軟性を有していることから、プラスチック袋１がＤ１の位置から更に膨らむ膨張動作をすることになる。この膨張動作はＤ２の好ましい位置でプラスチック袋１の素材の張力と風圧３２による力Ｐとのバランスが取れた処で安定することになる。プラスチック袋１の所定の側面が粘着層２２に接触し圧力Ｐとスタンパー２の右方向から近付く力Ｆとのバランスによりラベルが貼付される。また、プラスチック袋１がＤ１の位置に至ると、スタンパー２をプラスチック袋１の側面により近接させるように、スタンパー２が同図における右方向から近付く力Ｆによりスタンパー２の粘着層の位置をＤ２の位置からＤ１の位置側に移動させ、風圧力Ｐとの均衡でラベルを貼付するようにしてもよい。
【００４９】
斯うして、スタンパー２の前進移動する状態がラベル２１の粘着層２２がプラスチック袋１の側面に初めて固着する段階で、固着条件となる反力は風圧（空気圧）３２によって得られる。換言すれば、風圧３２によって得られる反力（同図中右向き）Ｐとスタンパー２による固着のための押圧力Ｆ（同図中左向き）とが均衡することでラベル２１の粘着層２２がプラスチック袋１の側面に接触支持することになる。
【００５０】
図４は、図３に図示したものと同様に本発明の一実施形態に係る情報定着装置における袋体とスタンパーとの位置関係を説明する図であるが、図３との相違は、スタンパーとして印字機を用いた点にある。
【００５１】
図４において、スタンパー２として印字機の場合、プリンターヘッド２３が設けられている。プラスチック袋１の内側に風圧３２が掛った状態で、スタンパー２のプリンターヘッド２３の面により接近した状態を示している。プラスチック袋１がＤ１の位置から更に膨らむ膨張動作をすることにより、この膨張動作はＤ２の好ましい位置でプラスチック袋１の素材の張力と風圧３２による力Ｐとのバランスが取れた処で安定することになる。プラスチック袋１の所定の側面がプリンターヘッド２３に接触あるいは近接し圧力Ｐとスタンパー２の印字力Ｆによりプラスチック袋１の所定箇所の面に印字され  る。
【００５２】
また、プラスチック袋１がＤ１の位置に至ると、スタンパー２をプラスチック袋１の側面により近接させるように、スタンパー２が同図における右方向から近付く力Ｆによりスタンパー２のプリンターヘッド２３の位置をＤ２の位置からＤ１の位置側に移動させ印字するようにしてもよい。
【００５３】
ここで、印字方式はインクジェット方式やドットインパクト方式、更に活字の捺印方式など様々な方式があるが、何れにも対応可能である。但し、殆どの場合はプラスチック袋１表面とプリンターヘッド２３とが所定の圧を持って印字されるが、インクジェット方式の場合はその限りではない。例えば、所定の間隙を必要とする場合は、インクジェットノズル先端とプラスチック袋１との間隙もつて印字するようにすればよい。
【００５４】
図５は、本発明の第２の実施形態に係る情報定着装置の説明図である。図５において、情報定着装置の基本構成としては、先の図１に示すものと同様、袋体の一例としてのプラスチック袋１と、プラスチック袋１の横面にラベル貼付あるいは印字用の印字機（スタンパー）２と、プラスチック袋１の上方の開口側に送風装置３を備えてなる。プラスチック袋１の内部には所定の物品４が投入されている。
【００５５】
図１の実施形態と相違する点として、図５においては、プラスチック袋１の下にトレー（浅い容器）５５を備えたことにある。送風装置３によりプラスチック袋１に上部の開口側から風圧３２をかけ、プラスチック袋１を膨らませたとしても、そのプラスチック袋１の剛性や柔軟性によっては、図示の左右、前後に揺れが生じ、ラベル貼付あるいは印字処理に際し、安定しないという問題も生じかねない。
【００５６】
そこで、図５に図示の本発明では、トレー５５を備え、プラスチック袋１を載せるようにし、安定を図ったものである。なお、図示例のトレー５５は断面にて示しているが、実際には四角状のトレーあるいはトレー状のもので足りる。また、その大きさや周辺の高さ等は、プラスチック袋の材質、強度等により適宜決めることでよい。
【００５７】
図５においても、プラスチック袋１とスタンパー２の関係については、図２、図３および図４にて説明したのと同様である。
【００５８】
図６は、本発明の一実施形態に係る情報定着装置の送風部分に空気ふさぎ部を設けた例を示す図である。基本的な構成は、図１と同様であるが、図６においては、送風装置３から送られる風圧３２がプラスチック袋１の内面に送られ均等な圧が掛かる状態を示した図である。同図に示されるように、プラスチック袋１の開口部の広い領域から空気が送られるか、または図に例示したように空気ふさぎ部３４などを設けて、空気の逃げを少なくするような手段を用いて均一な内圧を維持することで、プラスチック袋１の膨らみをより安定した状態で保つようにしたものである。袋１の膨らみを安定して維持することで、ラベル２１の貼り付けや印字を安定した状態でできる。ここに、空気ふさぎ部３４を設ける代わりに、送風装置３の底面部を大きくする（図示しない）ことでも同様な効果を得ることが可能である。
【００５９】
また、図６に示す空気ふさぎ部３４を、図５に図示した構成に適用してもよい。
【００６０】
図７は、本発明の一実施形態に係る情報定着装置の送風部分を傾斜させ送風方向を変えた例を示す図である。
【００６１】
図７において、送風装置３は傾斜した状態で設けている。スタンパー２の位置に向けて、送風装置３の風圧３２を送り込むことで、ラベル貼付あるいは印字の必要領域を迅速に安定して膨らませることで、ラベル貼付あるいは印字の際のプラスチック袋１の側壁を極力平坦に保つことができる。
【００６２】
また、図７に示す送風部分を傾斜させる構成を、図５に図示した構成に適用してもよい。
【００６３】
図８は、本発明の一実施形態に係る情報定着装置を搬送ラインに用いた例を示す図である。
【００６４】
図８において、搬送ライン６の所定箇所に、プラスチック袋１にラベル貼付あるいは印字用のスタンパー２が配置されている。また、搬送ライン６の所定箇所の上方には、送風装置３が移動可能なガイド３５に支持されている。プラスチック袋１は、その袋の上部の四隅がクリップ１１にてワイヤ１２に接続さている。各四隅に接続されたワイヤ１２はその上端をフック１３に固定され、フック１３はガイドレール１４に移動可能に取付られている。
【００６５】
プラスチック袋１の四隅をワイヤにより上方へ支持するようにすることで送風装置３からの空気の流れ３３を効率的に袋１内に案内し袋の側面をより平坦に維持することができる。即ち、ラベル貼付あるいは印字に際して、安定度を増すことができる。
【００６６】
物品４を収容したプラスチック袋１の搬送ライン６上の移動は搬送ラインとして例えばローラコンベアやベルトコンベアによる。従って、ガイドレール１４上のフック１３の移動と搬送ラインの移動は同期することになる。また、送風装置３は、不要時は、ガイド３５に沿って退避されるものであってよい。
【００６７】
図９は、本発明の第２の実施形態に係る情報定着装置を搬送ラインに用いた例を示す図である。
【００６８】
図９においても、基本構成としては、図８に図示した構成と同様、搬送ライン６の所定箇所に、プラスチック袋１にラベル貼付あるいは印字用のスタンパー２が配置されている。また、搬送ライン６の所定箇所の上方には、送風装置３が移動可能なガイド３５に支持されている。プラスチック袋１は、その袋の上部の四隅がクリップ１１にてワイヤ１２に接続されている。各四隅に接続されたワイヤ１２はその上端をフック１３に固定され、フック１３はガイドレール１４に移動可能に取付られている。さらに、プラスチック袋１の下にはトレー５５が配置されている。即ち、プラスチック袋１はトレー５５に載せられて、搬送ライン６上を移動する。
【００６９】
従って、プラスチック袋１の四隅をワイヤにより上方へ支持するようにすることで送風装置３からの空気の流れ３３を効率的に袋１内に案内し袋の側面をより平坦に維持するとともに、袋１の下面をトレー５５上に載せることで袋１自体の安定度が高まり、風圧による膨らみを安定させることができる。即ち、ラベル貼付あるいは印字に際して、安定度を増すことができる。
【００７０】
図８と同様、物品４を収容したプラスチック袋１の搬送ライン６上の移動は、搬送ラインとして、例えば、ローラコンベアやベルトコンベアによる。従って、ガイドレール１４上のフック１３の移動と搬送ライン６の移動は同期することになる。また、送風装置３は、不要時は、ガイド３５に沿って退避されるものであってよい。
【００７１】
先に説明した図８あるいは図９に図示した構成のものは、宅配用のコンテナ等に収容する前のプラスチック袋１にラベル貼付あいるは印字するようにしたものである。従って、宅配用のコンテナ等に収容する場合には、後工程としてコンテナ等への収容工程を必要とする。
【００７２】
図１０は、本発明の情報定着装置による処理工程後のコンテナ収容の例を説明する図である。
【００７３】
ラベル貼付あるいは印字されたプラスチック袋１の搬送ライン６の先に、コンテナの搬送ライン６１が設けられている。搬送ライン６１にはコンテナ５が搬送され、所定位置にて、ラベル貼付あるいは印字されたプラスチック袋１が投入され、収容される。
【００７４】
ここで、プラスチック袋１の四隅のワイヤはクリップを含め外され、上部のフック１３の移動により収容場所（図示していない）へ収容され、次のスタンパーの工程で使用されることになる。
【００７５】
なお、図５および図６にて説明した情報定着装置を用い、搬送ライン上にてラベル貼付あるいは印字する工程において、送風装置としては、図６にて説明した空気ふさぎ部を設けるものであっても、また、図７にて説明の送風口を傾斜させるものであってもよい。また、その組合せであってもよい。
【００７６】
上記の実施形態は、風圧により膨らんだプラスチック袋の側面に直接ラベル貼付あるいは印字するようにしたものであるが、プラスチック袋をコンテナに収容し、そのコンテナを介在した状態でラベル貼付あるいは印字するようにしてもよい。
【００７７】
図１１は、本発明の第３の実施形態に係る情報定着装置に用いる袋体とコンテナとの関係を説明する図である。図１１に図示の情報定着装置においては、プラスチック袋１を配置したコンテナ５には四つの側壁面の一部に、ラベル２１の大きさより大きな開口部を有する窓５１を開けてある。情報定着の処理は、図１２にて説明される。
【００７８】
図１２は、本発明の第３の実施形態に係る情報定着装置の説明図である。図１２において、所定の物品４が投入されたコンテナ５内のプラスチック袋１の上方開口部に送風装置３が設けられている。送風装置３のノズル部３１から風３２が送られる。このノズル部３１から送られる風３２による風圧でプラスチック袋１内の圧力が上昇し、プラスチック袋１の全体が膨らむことになる。この際に、プラスチック袋１が最大に膨らんだ状態での最大寸法は、コンテナ５の内形寸法より充分に大きいものであり、コンテナ５の側面に開けられた窓５１の近傍には、ラベル貼り付けあるいは印字用のスタンパー２が設置されている。
【００７９】
プラスチック袋１内の風圧により、コンテナ５の側面に開けられた窓５１からプラスチック袋１が外部側に凸になるように変位する。この窓を介してスタンパー２によるラベル貼付あるいは印字が行われる。かかる構成であれば、袋体のコンテナ詰め替え等の工程を省略することもできる。
【００８０】
なお、上記に説明した本発明の実施形態に限らず、本発明に係る技術思想に基づき種々の変形（拡大、縮小、代替、選択、取り除き等）であってよい。例えば、上記の基本構成としては、スタンパーの押圧力と、袋体内に導入された空気の圧力すなわち反力生成手段によって生成された反力との均衡の下でラベル貼付あるいは印字するようにしているが、第３の実施形態のように、印字等の場所としてコンテナ５に窓５１を設けた形態としてもよく、また、この窓５１を設けることなく、一定の場所（たとえば内包される荷が投入される開口個所のうちの特定の一部）において両者の力を突合させて印字ができれば、所定の枠体だけを設けその中に袋体を挿入して印字することとしてもよい。要は、印字の押圧力と反力生成手段によって生成された反力とが均衡する状態を作ることができれば本発明に係る技術思想に含まれると考えてよい。
【００８１】
また、上記では袋体としてプラスチックを素材とするプラスチック袋１を例にとって説明したが、袋体としては、プラスチックを素材とするものに限られることはなく、一定の剛性及び柔軟性を備えた素材でありさえすればよく、種々の素材を用いることが可能である。一定の剛性を備えた材質であればよく、例えば紙を素材とするものであってもよい。これにより、袋体の選択の自由度が増し、内包物により、或いはコスト等に基づく袋体の選択の自由度が増す。
【００８２】
また、上記では、ラベル貼付あるいは印字される書体を正面からの文字の場合を例にとって説明したが、これに換えてたとえば鏡文字、反転文字（左右反転及び／もしくは上下反転）とすることもできる。このようにすることにより、たとえばラベル貼付あるいは印字された箇所が折り返された状態で搬送等されるときに、袋体を透過して文字情報を認識することができ、利便性が高まる。この態様において、ラベル貼付の場合には、ラベル自体の素材を透過性の高いものを用いるのが好適である。
【００８３】
以上説明した各実施形態は、本発明の理解のために例示されたものであり、本発明は、これら実施形態に限定されず、特許請求の範囲の記載によって定義される。また、本発明の技術思想から離れるものでない限り、特許請求の範囲に記載の構成と均等であるものも本発明の保護の範囲に含まれるものである。
【産業上の利用可能性】
【００８４】
本発明によれば、袋体の内側から風圧（空気圧）により膨らませ、その外側面から袋体の表面にラベル貼付あるいは印字するなどで、正確な表示が可能となり、また自動化も可能となる。したがって、本発明は、物流をはじめとする各種産業界で使用する設備機器等に適用して経済効果大とできる。
【符号の説明】
【００８５】
１…プラスチック袋
２…スタンパー
２１…ラベル
２２…粘着層
２３…プリンターヘッド
３…送風装置
３１…ノズル部
３２…風（風圧、空気圧）
３３…空気の流れ
３４…空気ふさぎ部
３５…ガイド
４…物品
５…コンテナ
５１…穴（窓）
５５…トレー
６、６１…搬送ライン（コンベア）
１１…クリップ
１２…ワイヤ
１３…フック
１４…ガイドレール
Ｐ…風圧（空気圧）
Ｆ…押圧
【図１】
2018027818.tif 000003
【図２】
2018027818.tif 000004
【図３】
2018027818.tif 000005
【図４】
2018027818.tif 000006
【図５】
2018027818.tif 000007
【図６】
2018027818.tif 000008
【図７】
2018027818.tif 000009
【図８】
2018027818.tif 000010
【図９】
2018027818.tif 000011
【図１０】
2018027818.tif 000012
【図１１】
2018027818.tif 000013
【図１２】
2018027818.tif 000014
【図１３】
2018027818.tif 000015
【図１４】
2018027818.tif 000016
【図１５】
2018027818.tif 000017